【事件の表示】
　特許第５７２６４２８号に関する訂正審判事件について、次のとおり審決する。
【結　論】
　特許第５７２６４２８号に係る明細書、特許請求の範囲を本件審判請求書に添付された訂正明細書、特許請求の範囲のとおり請求項ごとに訂正することを認める。
【理　由】
第１　手続の経緯
　本件特許第５７２６４２８号（以下「本件特許」という。）は、平成２２年３月２３日に出願され、平成２７年４月１０日に特許権の設定の登録がなされ、平成２７年７月９日に本件訂正審判の請求がなされた。
　
第２　審判請求の趣旨
　本件審判請求の趣旨は、本件特許の明細書、特許請求の範囲を本件審判請求書に添付した訂正明細書、特許請求の範囲のとおり請求項ごとに訂正することを認める、との審決を求めるものである。
　
第３　訂正の内容
　本件特許の訂正の内容は、次のとおりである。
　１　訂正事項１（請求項１に係る訂正事項）
　訂正事項１は、請求項１に「前記処理回路は、前記定期割込処理において、・・・、前記制御情報格納手段に未送信の制御情報が格納されているか、及び前記制御情報送信手段が前記制御情報の送信中であるか、を判定する送信状況判定手段と、前記送信状況判定手段により前記制御情報格納手段に未送信の制御情報が格納されている旨、前記制御情報送信手段が前記制御情報の送信中である旨の少なくとも一方が判定された場合に、」とあるのを、「前記処理回路は、前記定期割込処理において、・・・、前記制御情報格納手段に未送信の制御情報が格納されているか、及び前記
通信回路
通信回路
　
　２　訂正事項２（請求項１に係る訂正事項）
　訂正事項２は、請求項１に「前記処理回路は、前記定期割込処理において、・・・、該定期割込処理の実行中において前記第２の制御情報生成手段による前記第２の制御情報の前記制御情報格納手段への格納を禁止する制御情報格納禁止手段と、」とあるのを、「前記処理回路は、前記定期割込処理において、・・・、該定期割込処理の実行中におい
て前
　
　３　訂正事項３（【０００７】に係る訂正事項）
　訂正事項３は、本件特許明細書の【０００７】に「上記課題を解決するために、本発明の請求項１に記載の遊技機は、・・・前記処理回路は、前記定期割込処理（タイマ割込処理（メイン））において、該定期割込処理の開始後、前記制御情報格納手段（送信データレジスタ５６１）に格納された一の制御情報（コマンド）の送信に要する時間よりも短い時間が経過するよりも前に、前記制御情報格納手段（送信データレジスタ５６１）に未送信の制御情報（コマンド）が格納されているか、及び前記制御情報送信手段（シリアル通信回路５１１）が前記制御情報の送信中であるか、を判定する送信状況判定手段と、前記送信状況判定手段により前記制御情報格納手段（送信データレジスタ５６１）に未送信の制御情報（コマンド）が格納されている旨、または前記制御情報送信手段（シリアル通信回路５１１）が前記制御情報（送信中）の送信中である旨（送信完了フラグが０の場合）の少なくとも一方が判定された場合に、該定期割込処理（タイマ割込処理（メイン））の実行中において前記第２の制御情報生成手段による前記第２の制御情報（第２のコマンド）の前記制御情報格納手段（送信データレジスタ５６１）への格納を禁止する制御情報格納禁止手段と、」とあるのを、「上記課題を解決するために、本発明の請求項１に記載の遊技機は、・・・前記処理回路は、前記定期割込処理（タイマ割込処理（メイン））において、該定期割込処理の開始後、前記制御情報格納手段（送信データレジスタ５６１）に格納された一の制御情報（コマンド）の送信に要する時間よりも短い時間が経過するよりも前に、前記制御情報格納手段（送信データレジスタ５６１）に未送信の制御情報（コマンド）が格納されているか、及び前記
通信回路
通信回路
て前
　
　４　訂正事項４（請求項２に係る訂正事項）
　訂正事項４は、請求項２に「前記処理回路は、・・・、該定期割込処理の実行中において前記第２の制御情報生成手段による前記第２の制御情報の前記制御情報格納手段への格納を禁止する制御情報格納禁止手段と、」とあるのを、「前記処理回路は、・・・、該定期割込処理の実行中におい
て前
　
　５　訂正事項５（【０００８】に係る訂正事項）
　訂正事項５は、本件特許明細書の【０００８】に「本発明の請求項２に記載の遊技機は、・・・前記処理回路は、前記基本処理（ゲーム処理）において前記複数個の第１の制御情報（第１のコマンド）のうち最初の第１の制御情報（１バイト目のコマンド）を前記制御情報格納手段（送信データレジスタ５６１）に格納する前に前記複数個の第１の制御情報（第１のコマンド）の格納中を示す格納中情報（コマンド転送完了フラグ：０）を設定し、前記複数個の第１の制御情報（第１のコマンド）のうち最後の第１の制御情報（２バイト目のコマンド）を前記制御情報格納手段（送信データレジスタ５６１）に格納した後に前記格納中情報（コマンド転送完了フラグ：０）を解除する格納中情報設定手段と、前記定期割込処理（タイマ割込処理（メイン））において前記格納中情報（コマンド転送完了フラグ：０）が設定されているか否かを判定する格納中判定手段と、前記格納中判定手段により前記格納中情報（コマンド転送完了フラグ：０）が設定されていると判定された場合に、該定期割込処理（タイマ割込処理（メイン））の実行中において前記第２の制御情報生成手段による前記第２の制御情報（第２のコマンド）の前記制御情報格納手段（送信データレジスタ５６１）への格納を禁止する制御情報格納禁止手段と、」とあるのを、「本発明の請求項２に記載の遊技機は、・・・前記処理回路は、前記基本処理（ゲーム処理）において前記複数個の第１の制御情報（第１のコマンド）のうち最初の第１の制御情報（１バイト目のコマンド）を前記制御情報格納手段（送信データレジスタ５６１）に格納する前に前記複数個の第１の制御情報（第１のコマンド）の格納中を示す格納中情報（コマンド転送完了フラグ：０）を設定し、前記複数個の第１の制御情報（第１のコマンド）のうち最後の第１の制御情報（２バイト目のコマンド）を前記制御情報格納手段（送信データレジスタ５６１）に格納した後に前記格納中情報（コマンド転送完了フラグ：０）を解除する格納中情報設定手段と、前記定期割込処理（タイマ割込処理（メイン））において前記格納中情報（コマンド転送完了フラグ：０）が設定されているか否かを判定する格納中判定手段と、前記格納中判定手段により前記格納中情報（コマンド転送完了フラグ：０）が設定されていると判定された場合に、該定期割込処理（タイマ割込処理（メイン））の実行中におい
て前
　
第４　当審の判断
　１　訂正事項１について
　（１）訂正の目的の適否について
　　　ア　訂正前の請求項１の「前記制御情報送信手段が前記制御情報の送信中であるか」は、当該記載より前に「制御情報送信手段」という記載がないため、「前記制御情報送信手段」が何を指すのか不明となり、「前記制御情報送信手段が前記制御情報の送信中であるか」という特定事項を含む訂正前の請求項１の記載が不明瞭になっていた。
　
　　　イ　訂正前の請求項１には、「前記
通信回路は
制御情報を
送信する
　また、制御情報（コマンド）の送信に関して、本件特許明細書には、「【０１３１】メイン制御部４１は、シリアル通信回路５１１を介してサブ制御部９１に各種のコマンドを送信する。」ことが記載されている。
　したがって、本件特許において、制御情報（コマンド）の送信は、通信回路（シリアル通信回路５１１）により実行されるものである。
　
　　　ウ　訂正事項１は、送信情報を送信するのが、通信回路であることを明らかにするものであるから、明瞭でない記載の釈明を目的とするものである。
　したがって、訂正事項１は、特許法第１２６条第１項ただし書第３号に掲げる事項を目的とするものである。
　
　（２）訂正が本件特許明細書、特許請求の範囲又は図面（以下「本件特許明細書等」という。）に記載した事項の範囲内のものであるか否かについて
　上記（１）において検討したように、制御情報の送信が通信回路により実行されるものであることは、本件特許細書等に記載されている。
　
　したがって、訂正事項１は、本件特許明細書等の記載に基づくものであって、本件特許明細書等のすべてを総合することにより導かれる技術的事項との関係において新たな技術的事項を導入するものではなく、本件特許明細書等に記載した事項の範囲内のものである。
　よって、訂正事項１は特許法第１２６条第５項の規定に適合する。
　
　（３）訂正が実質上特許請求の範囲を拡張し、又は変更するものであるか否かについて
　訂正事項１は、上記（１）のとおり、不明瞭な記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　
　２　訂正事項２及び訂正事項４について
　（１）訂正の目的の適否について
　　　ア　訂正前の請求項１及び請求項２の「該定期割込処理の実行中において前記第２の制御情報生成手段による前記第２の制御情報の前記制御情報格納手段への格納を禁止する制御情報格納禁止手段」は、当該記載より前に「第２の制御情報生成手段」という記載がないため、「前記第２の制御情報生成手段」が何を指すのか不明となり、「該定期割込処理の実行中において前記第２の制御情報生成手段による前記第２の制御情報の前記制御情報格納手段への格納を禁止する制御情報格納禁止手段」という特定事項を含む訂正前の請求項１及び請求項２の記載が不明瞭になっていた。
　
　　　イ　訂正前の請求項１及び請求項２には、「前記
処理回路は
第２の制御情報を生成し、前記制御情報格納手段に格納する処理を行」う
　また、第２の制御情報の制御情報格納手段への格納に関して、本件特許明細書には、「【０４４８】また、本実施例では、ゲームの進行制御に伴う事象を契機とするコマンド（以下、第１のコマンドとする）は、基本処理において生成され、送信データレジスタ５６１に転送することでシリアル通信回路５１１によってサブ制御部９１に送信されることとなるが、ドアコマンドや操作検出コマンドなど、
ゲームの進行とは関係なく生じうる事象を契機とするコマンド（以下、第２のコマンドとする）
タイマ割込処理（メイン）により生成される
何らかのコマンドが送信データレジスタ５６１に残っているか、コマンドの送信中である場合は、第２のコマンドの送信データレジスタ５６１への転送が禁止される
　
　したがって、本件特許において、第２の制御情報（第２のコマンド）の生成、及び、第２の制御情報の制御情報格納手段（送信データレジスタ５６１）への格納は、処理回路（タイマ割込処理）により行われるものである。
　
　　　ウ　訂正事項２及び訂正事項４は、第２の制御情報を生成し、制御情報格納手段に格納する処理を行うのが、処理回路であることを明らかにするものであるから、明瞭でない記載の釈明を目的とするものである。
　したがって、訂正事項２及び訂正事項４は、特許法第１２６条第１項ただし書第３号に掲げる事項を目的とするものである。
　
　（２）訂正が本件特許明細書等に記載した事項の範囲内のものであるか否かについて
　上記（１）において検討したように、第２の制御情報の生成、及び、第２の制御情報の制御情報格納手段への格納が、処理回路により行われることは、本件特許明細書等に記載されている。
　したがって、訂正事項２及び訂正事項４は、本件特許明細書等の記載に基づくものであって、本件特許明細書等のすべてを総合することにより導かれる技術的事項との関係において新たな技術的事項を導入するものではなく、本件特許明細書等に記載した事項の範囲内のものである。
　よって、訂正事項２は特許法第１２６条第５項の規定に適合する。
　
　（３）訂正が実質上特許請求の範囲を拡張し、又は変更するものであるか否かについて
　訂正事項２及び訂正事項４は、上記（１）において検討したように、不明瞭な記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　
　３　訂正事項３及び訂正事項５について
　（１）訂正の目的の適否について
　訂正事項３は、訂正事項１及び２に係る訂正に伴って、また、訂正事項５は、訂正事項４に係る訂正に伴って、特許請求の範囲の記載と発明の詳細な説明の記載との整合を図るために、それぞれ、本件特許明細書の【０００７】、【０００８】の記載を、それぞれ、訂正後の請求項１、請求項２の記載と整合させるものである。 
　したがって、訂正事項３及び訂正事項５は、特許法第１２６条第１項ただし書第３号に掲げる「明瞭でない記載の釈明」を目的とするものである。 
 　 
　（２）訂正が本件特許明細書等に記載した事項の範囲内のものであるか否かについて 
　訂正事項３及び訂正事項５は、上記（１）において検討したように、それぞれ、訂正事項１及び２、訂正事項４に係る訂正に伴うものであり、訂正事項１、２及び４は、上記１（２）及び２（２）で検討したとおり、本件特許明細書等の記載に基づくものである。 
　そして、訂正事項１、２及び４は、本件特許明細書等の全ての記載を総合することにより導かれる技術的事項との関係において新たな技術的事項を導入するものではないから、訂正事項３及び訂正事項５は、本件特許明細書等に記載した事項の範囲内のものである。
　したがって、訂正事項３及び訂正事項５は特許法第１２６条第５項の規定に適合する。
　
　（３）訂正が実質上特許請求の範囲を拡張し、又は変更するものであるか否かについて
　訂正事項３及び訂正事項５は、上記（１）において検討したように、明瞭でない記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　
第５　むすび
　以上のとおりであるから、本件訂正審判の請求に係る訂正事項１〜５は、特許法第１２６条第１項ただし書第３号に掲げる事項を目的とするものであり、かつ、同条第５〜６項の規定に適合するものである。
　
　よって、結論のとおり審決する。